【手続補正書】
【提出日】平成17年1月13日(2005.1.13)
【手続補正１】
【補正対象書類名】明細書
【補正対象項目名】特許請求の範囲
【補正方法】変更
【補正の内容】
【特許請求の範囲】
【請求項１】
遊技場内において、少なくともプリペイドカードの発行または受付処理の一方を行う複数の遊技用端末装置、および制御装置を、相互に通信可能に配備し、発行されたプリペイドカードの発券情報を、そのカードの発行元の遊技用端末装置に記憶保持させて、以後のカード処理をこのカード発行元の装置の制御下で行うとともに、各端末装置から制御装置にプリペイドカードの処理内容に関わるデータを送信するようにしたプリペイドカード管理システムにおいて、
各遊技用端末装置は、
前記制御装置へのデータ送信を実行できない状態が一定期間もしくは一定回数持続したとき、未送信データを保持したまま前記プリペイドカードに対する通常処理を実行できない動作不可能状態を設定する停止制御手段と、
前記動作不可能状態が設定されている状態下において、前記データ送信が可能な状態に復帰したとき、前記未送信データを制御装置に送信した後に前記通常処理に復帰する復帰制御手段とを、具備しているプリペイドカード管理システム。
【請求項２】
前記制御装置は、遊技場外に設置された管理装置に各遊技用端末装置からの受信データを送信する送信手段と、この送信手段によるデータ送信が不可能な状態が一定時間もしくは一定回数持続したとき、未送信データを保持したまま各遊技用端末装置との通信が不可能な動作不可能状態を設定する停止制御手段と、前記動作不可能状態が設定されている状態下で、前記管理装置へのデータ送信が可能な状態に復帰したとき、前記未送信データを管理装置に送信した後に各遊技用端末装置との通信が可能な状態に復帰する復帰制御手段とを、さらに具備している請求項１に記載されたプリペイドカード管理システム。
【手続補正２】
【補正対象書類名】明細書
【補正対象項目名】００１１
【補正方法】変更
【補正の内容】
【００１１】
【課題を解決するための手段】
請求項１の発明は、遊技場内において、少なくともプリペイドカードの発行または受付処理の一方を行う複数の遊技用端末装置、および制御装置を、相互に通信可能に配備し、発行されたプリペイドカードの発券情報を、そのカードの発行元の遊技用端末装置に記憶保持させて、以後のカード処理をこのカード発行元の装置の制御下で行うとともに、各端末装置から制御装置にプリペイドカードの処理内容に関わるデータを送信するようにしたプリペイドカード管理システムにおいて、各遊技用端末装置に、前記制御装置へのデータ送信を実行できない状態が一定期間もしくは一定回数持続したとき、未送信データを保持したまま前記プリペイドカードに対する通常処理を実行できない動作不可能状態を設定する停止制御手段と、前記動作不可能状態が設定されている状態下において、前記データ送信が可能な状態に復帰したとき、前記未送信データを制御装置に送信した後に前記通常処理に復帰する復帰制御手段とを、具備させている。
【手続補正３】
【補正対象書類名】明細書
【補正対象項目名】００１２
【補正方法】変更
【補正の内容】
【００１２】
請求項２の発明では、前記制御装置に、遊技場外に設置された管理装置に各遊技用端末装置からの受信データを送信する送信手段と、この送信手段によるデータ送信が不可能な状態が一定時間もしくは一定回数持続したとき、未送信データを保持したまま各遊技用端末装置との通信が不可能な動作不可能状態を設定する停止制御手段と、前記動作不可能状態が設定されている状態下で、前記管理装置へのデータ送信が可能な状態に復帰したとき、前記未送信データを管理装置に送信した後に各遊技用端末装置との通信が可能な状態に復帰する復帰制御手段とを、具備させている。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
【作用】
プリペイドカードを発行した遊技用端末装置は、その発券情報を装置内に記憶保持し、プリペイドカードを受け付けた遊技用端末装置は、自装置または他の遊技用端末装置の制御下で、所定の受付処理を実施する、各遊技用端末装置は、例えば、プリペイドカードの発行枚数、受け付けたプリペイドカードの枚数、受け付けたプリペイドカードに対する精算金額など、自装置の処理内容に関わるデータを、適宜制御装置に送信する。通信回線の切断など何らかの事情により、上記の送信処理を実行できない状態が一定期間もしくは一定回数持続すると、遊技用端末装置は、未送信のデータを保持したままプリペイドカードに対する通常処理（カードの発行や受付）を行うことができない動作不可能状態になる。この後、制御装置へのデータ送信が可能な状態に復帰すると、保持していた未送信データを制御装置に送信した後に通常処理に復帰する。
【手続補正６】
【補正対象書類名】明細書
【補正対象項目名】００１５
【補正方法】変更
【補正の内容】
【００１５】
請求項２の発明では、制御装置が各遊技用端末装置から受信したデータを外部の管理装置に送信する場合に、そのデータ送信が不可能な状態が一定時間もしくは一定回数持続したとき、未送信データを保持したまま各遊技用端末装置との通信が不可能な動作不可能状態になる。このように制御装置が動作不可能状態になると、各遊技用端末装置も制御装置にデータを送信できない状態になるので、同様に動作不可能状態になる。よって、遊技場サイドで管理されていない状態下でシステムを運営することは不可能となる。
【手続補正７】
【補正対象書類名】明細書
【補正対象項目名】００１６
【補正方法】削除
【補正の内容】
【手続補正８】
【補正対象書類名】明細書
【補正対象項目名】００４２
【補正方法】変更
【補正の内容】
【００４２】
受信データ蓄積部３３、および送信ファイル記憶部３４は、いずれもフラッシュメモリにより構成される。受信データ蓄積部３３は、各端末装置１からの送信情報を、図４に示すようなデータ形式により、項目毎、日毎に個別に記憶する。ＣＰＵ３０は、必要に応じて、データ蓄積部３３から各項目毎に所定の日にかかる会計データを取り出して集計する。送信ファイルは、この各項目の集計結果をまとめてファイル化したものであって、作成された送信ファイルは、管理装置６への送信が完了した後も所定期間送信ファイル記憶部３４に保持される。
【手続補正９】
【補正対象書類名】明細書
【補正対象項目名】００４８
【補正方法】変更
【補正の内容】
【００４８】
制御装置４よりアクセスがあると、ＣＰＵ１７は、つぎのＳＴ３で、データ蓄積部２０に未送信の会計データが存在するかどうかチェックする。例えば、回線のトラブルなどにより数日分の会計データの送信が不可能となっていた場合には、このＳＴ３が「ＹＥＳ」となり、続くＳＴ４で、未送信の会計データが送信される。
【手続補正１０】
【補正対象書類名】明細書
【補正対象項目名】００６８
【補正方法】変更
【補正の内容】
【００６８】
【発明の効果】
請求項１の発明では、遊技用端末装置において、プリペイドカードの処理内容に関わるデータを制御装置に送信することが不可能な状態が一定期間もしくは一定回数持続したとき、未送信データを保持したままプリペイドカードに対する通常処理を実行できない動作不可能状態を設定するようにしたので、遊技用端末装置が管理下から離れた状態で動作し、不正な運営が行われるのを防止することができる。また、動作不可能状態になった遊技用端末装置が通常処理に復帰するには、制御装置に未送信データを送信する必要があるから、管理されていない状態下で発生した動作内容を確認することができ、運営上の支障も生じない。
【手続補正１１】
【補正対象書類名】明細書
【補正対象項目名】００６９
【補正方法】変更
【補正の内容】
【００６９】
請求項２の発明では、さらに制御装置が各遊技用端末装置から受信したデータを外部の管理装置に送信する場合に、そのデータ送信が不可能な状態が一定期間もしくは一定回数持続したとき、各遊技用端末装置との通信が不可能な動作不可能状態になるようにした。これにより、故意またはトラブルにより制御装置からのデータ送信がなされなくなっても、制御装置および各遊技用端末装置が動作不可能状態になるから、遊技場を管理装置の管轄から切り離して運営することは不可能になる。また、動作不可能状態になった制御装置が動作可能な状態に復帰するには、管理装置に未送信データを送信する必要があるから、管理されていない状態下の遊技場の運営状態を確認することも可能となり、不正やトラブルが発生しても、速やかに対応することができる。
【手続補正１２】
【補正対象書類名】明細書
【補正対象項目名】００７０
【補正方法】変更
【補正の内容】
【００７０】
また上記の発明では、データ送信が不可能になっても直ちに動作不可能状態にならないので、通信回線のトラブルなどによりデータ送信が一時的に不可能となっても、各遊技用端末装置を一定期間もしくは一定回数動作させて、通常処理を行わせることができる。よって、プリペイドカードの使用に支障を生じる虞がなく、遊技客とのトラブルをおこさずに、円滑にシステムを補修することが可能となる。